(57)【要約】【課題】人員を必要とせず、有料設備毎に売上金額を集計し、有料設備毎の売上金額に対する手数料を算出することが可能なカード決済システムを提供する。【解決手段】ＩＣカード２，３を使用して病院内に設置された有料設備から商品を購入可能かつ役務の提供を受けることが可能であり、商品および役務に対する金額がＩＣカード２，３から減算されるカード決済システムであり、ＩＣカード２，３は、購入した商品および提供を受けた役務に対する有料設備毎の売上金額を記憶する売上金額記憶手段を有し、システムは、ＩＣカード２，３に記憶された商品および役務の売上金額を読み取ることが可能な精算設備１５，１６を備え、精算設備１５，１６は、商品および役務の売上金額を有料設備毎に区分して集計する売上金額集計手段と、集計された売上金額に所定の割合を乗じて有料設備毎の売上金額に対する手数料を算出する手数料計算手段と、集計された有料設備毎の売上金額明細および算出された有料設備毎の手数料明細を出力する明細出力手段とを有する。【選択図】　　　　図１
2004086253.tif 000002
【特許請求の範囲】
【請求項１】
特定の施設内に設置された多数の有料設備と、前記施設の多数の関係者が個別に所持するメモリカードとから構成され、前記関係者が、前記メモリカードを使用して前記有料設備から所定の商品を購入可能かつ所定の役務の提供を受けることが可能であり、購入した商品および提供を受けた役務に対する金額が、前記メモリカードから減算されるカード決済システムにおいて、
前記メモリカードが、購入した商品および提供を受けた役務に対する前記有料設備毎の売上金額を記憶する売上金額記憶手段を有し、前記システムが、前記メモリカードに記憶された前記商品および役務の売上金額を読み取ることが可能な精算設備を備え、
前記精算設備が、前記メモリカードから読み取った前記商品および役務の売上金額を前記有料設備毎に区分して集計する売上金額集計手段と、前記売上金額集計手段を介して集計された前記有料設備毎の売上金額に所定の割合を乗じて該有料設備毎の売上金額に対する手数料を算出する手数料計算手段と、前記売上金額集計手段を介して集計された前記有料設備毎の売上金額明細および前記手数料計算手段を介して算出された前記有料設備毎の売上金額に対する手数料明細を出力する明細出力手段とを有することを特徴とするカード決済システム。
【請求項２】
前記メモリカードの前記売上金額記憶手段が、前記有料設備毎の売上金額を日別または月別に区分して記憶し、
前記精算設備の前記売上金額集計手段が、所定の日数単位または月単位で前記有料設備毎の売上金額を集計し、前記手数料計算手段が、所定の日数単位または月単位で集計された売上金額に所定の割合を乗じて前記有料設備毎の該売上金額に対する手数料を算出し、前記明細出力手段が、所定の日数単位または月単位における売上金額明細および手数料明細を出力する請求項１記載のカード決済システム。
【請求項３】
前記精算設備が、前記売上金額集計手段を介して集計された前記有料設備毎の売上金額と前記手数料計算手段を介して算出された前記有料設備毎の手数料とを記憶する第１記憶手段を有する請求項１または請求項２に記載のカード決済システム。
【請求項４】
前記メモリカードが、前記有料設備毎の利用回数を日別または月別に区分して記憶する利用回数記憶手段を有し、前記精算設備が、前記メモリカードに記憶された前記有料設備毎の利用回数を読み取ることが可能であり、
前記精算設備の前記売上集計手段が、所定の日数単位または月単位で前記有料設備毎の利用回数を集計し、前記明細出力手段が、所定の日数単位または月単位における前記有料設備毎の利用回数明細を出力する請求項１ないし請求項３いずれかに記載のカード決済システム。
【請求項５】
前記精算設備が、集計した前記有料設備毎の利用回数を記憶する第２記憶手段を有する請求項４記載のカード決済システム。
【請求項６】
前記施設が、病院または旅館である請求項１ないし請求項５いずれかに記載のカード決済システム。
【請求項７】
前記メモリカードが、ＩＣカードである請求項１ないし請求項６いずれかに記載のカード決済システム。
【発明の詳細な説明】
【０００１】
【発明の属する技術分野】
本発明は、特定の施設内に設置された多数の有料設備において購入した商品および提供を受けた役務に対する金額を、施設の関係者が所持するメモリカードから減算するカード決済システムに関する。
【０００２】
【従来の技術】
特定の施設に設置された有料設備において購入した商品および提供を受けた役務に対する金額を、その施設の関係者が所持する磁気カード（メモリカード）から減算するカード決済システムは公知である。前記公知のカード決済システムを、それが病院に利用されている場合を例として説明すると、以下のとおりである。
【０００３】
病院には、そこに入院している患者やそこの職員等の関係者が利用する多数の有料設備が設置されている。有料設備には、自動販売機やテレビ、電話、ファクシミリ、冷蔵庫、洗濯機等の機器、売店や食堂等の店舗がある。関係者は、あらかじめ所持する磁気カードをそれら有料設備に装着された磁気カードリーダ／ライタに挿入し、有料設備において所定の商品を購入したり、それら有料設備において所定の役務の提供を受けることができる。購入した商品や提供を受けた役務に対する金額は、磁気カードリーダ／ライタによって磁気カードから減算される。関係者は、磁気カードを病院に設置されたカード販売機から購入することができる。
【０００４】
【発明が解決しようとする課題】
一例として示す前記公知のカード決済システムでは、関係者が現金を所持することなく、病院に設置された有料設備において商品を購入または役務の提供を受けることができる。それら有料設備は、それを設置する業者が必ずしも同一ではなく、有料設備毎にそれを設置する業者が異なる。病院では、業者に有料設備の設置を許可する代わりに、有料設備の売上金額に所定の割合を乗じた手数料をそれら業者から徴収する場合がある。また、業者が有料設備を病院に無償で貸与する代わりに、病院が有料設備の売上金額に所定の割合を乗じた手数料を業者に支払う場合がある。
【０００５】
しかし、病院が業者から手数料を徴収する場合や病院が業者に手数料を支払う場合、病院または業者のいずれかが売上金額に対する手数料を有料設備毎に算出しなければならず、そのための人員を必要とする。また、有料設備毎の手数料の算出は、所定の日数単位または月単位で有料設備毎の売上金額を集計した後、有料設備毎に異なる所定の割合を集計した売上金額に乗ずる必要があり、手数料の算出に手間と時間とを要する。
【０００６】
なお、磁気カードは、略７２文字分のデータを記憶することができるにすぎず、記憶容量が少ないので、磁気カードに購入された商品の金額や提供を受けた役務の金額を記憶させることは困難である。ゆえに、磁気カードを利用してそれら有料設備毎の売上金額を集計することはできない。
【０００７】
本発明の課題は、人員を必要とせず、有料設備毎に売上金額を集計し、有料設備毎の売上金額に対する手数料を算出することが可能なカード決済システムを提供することにある。
【０００８】
【課題を解決するための手段】
前記課題を解決するための本発明の前提は、特定の施設内に設置された多数の有料設備と、前記施設の多数の関係者が個別に所持するメモリカードとから構成され、前記関係者が、前記メモリカードを使用して前記有料設備から所定の商品を購入可能かつ所定の役務の提供を受けることが可能であり、購入した商品および提供を受けた役務に対する金額が、前記メモリカードから減算されるカード決済システムである。
【０００９】
前記前提における本発明の特徴は、前記メモリカードが購入した商品および提供を受けた役務に対する前記有料設備毎の売上金額を記憶する売上金額記憶手段を有し、前記システムが前記メモリカードに記憶された前記商品および役務の売上金額を読み取ることが可能な精算設備を備え、
前記精算設備が、前記メモリカードから読み取った前記商品および役務の売上金額を前記有料設備毎に区分して集計する売上金額集計手段と、前記売上金額集計手段を介して集計された前記有料設備毎の売上金額に所定の割合を乗じて該有料設備毎の売上金額に対する手数料を算出する手数料計算手段と、前記売上金額集計手段を介して集計された前記有料設備毎の売上金額明細および前記手数料計算手段を介して算出された前記有料設備毎の売上金額に対する手数料明細を出力する明細出力手段とを有することにある。
【００１０】
本発明の実施の態様の一例としては、前記メモリカードの前記売上金額記憶手段が前記有料設備毎の売上金額を日別または月別に区分して記憶し、前記精算設備の前記売上金額集計手段が所定の日数単位または月単位で前記有料設備毎の売上金額を集計し、前記手数料計算手段が所定の日数単位または月単位で集計された売上金額に所定の割合を乗じて前記有料設備毎の該売上金額に対する手数料を算出し、前記明細出力手段が所定の日数単位または月単位における売上金額明細および手数料明細を出力する。
【００１１】
本発明の実施の態様の他の一例としては、前記精算設備が前記売上金額集計手段を介して集計された前記有料設備毎の売上金額と前記手数料計算手段を介して算出された前記有料設備毎の手数料とを記憶する第１記憶手段を有する。
【００１２】
本発明の実施の態様の他の一例としては、前記メモリカードが前記有料設備毎の利用回数を日別または月別に区分して記憶する利用回数記憶手段を有し、前記精算設備が前記メモリカードに記憶された前記有料設備毎の利用回数を読み取ることが可能であり、前記精算設備の前記売上集計手段が所定の日数単位または月単位で前記有料設備毎の利用回数を集計し、前記明細出力手段が所定の日数単位または月単位における前記有料設備毎の利用回数明細を出力する。
【００１３】
本発明の実施の態様の他の一例としては、前記精算設備が集計した前記有料設備毎の利用回数を記憶する第２記憶手段を有する
本発明の実施の態様の他の一例としては、前記施設が病院または旅館であり、前記メモリカードがＩＣカードである。
【００１４】
【発明の実施の形態】
添付の図面を参照し、本発明に係るカード決済システムの詳細を、それが病院に利用された場合を例として説明すると、以下のとおりである。
【００１５】
図１，２は、一例として示すカード決済システムの構成図と、このシステムにおけるＩＣカード２，３の利用および決済の手順を示す図とである。図１，２では、説明の便宜上、自動販売機６や食券券売機８、テレビ１０、電話９，１２等の有料設備と利用者用ＩＣカード２および職員用ＩＣカード３とを１つだけ示しているが、実際には病院１内にそれらの有料設備が多数設置されているとともに、病院１の多数の関係者がＩＣカード２，３を所持している。
【００１６】
このシステムは、病院１内に設置された多数の有料設備と、病院１の多数の関係者が個別に所持するＩＣカード２，３と、ＩＣカード２，３を精算するための病院１内に設置された精算設備とから構成されている。病院１の関係者は、ＩＣカード２，３を使用し、それら有料設備において商品を購入したり、役務の提供を受けることができる。ここで、病院１の関係者とは、入院患者や保護者、来訪者等の病院利用者、病院１の医師や看護婦、事務員等の病院職員をいう。
【００１７】
有料設備には、病院利用者や病院職員が利用可能な共通設備４と、病院利用者だけが利用可能な専用設備５とがある。共通設備４には、自動販売機６、売店７、食堂の食券券売機８、公衆電話およびファクシミリ９がある。専用設備５には、民放地上波放送テレビおよびＣＳやＢＳ等の自主放送テレビ１０、インターネット１１、電話１２、冷蔵庫１３、洗濯機１４がある。専用設備５は、個室に設置される場合と多床室に設置される場合とがある。精算設備には、売店７のＰＯＳレジ１５とＩＣカード精算機１６とがある。ＰＯＳレジ１５は、売店７の他に、食堂に設置されていてもよい。病院１には、それら有料設備や精算設備の他に、ＩＣカード販売機１７とＩＣカード入金機１８とが設置されている。
【００１８】
有料設備には、それらを特定するためのコード番号が付与されている。それら有料設備のうちの自動販売機６、食券券売機８、電話およびファクシミリ９，１２、テレビ１０、インターネット１１、冷蔵庫１３、洗濯機１４には、それら有料設備のコード番号とそれら有料設備における売上金額とをＩＣカード２，３に書き込むためのＩＣカードリーダ／ライタ１９，２０が装着されている（図２参照）。有料設備では、それらにおいて購入した商品の金額や提供を受けた役務の金額を、ＩＣカードリーダ／ライタ１９，２０を介してＩＣカード２，３から減算することができる。
【００１９】
ＰＯＳレジ１５は、売店７を特定するコード番号と売店７の売上金額とをＩＣカード２，３に書き込む機能の他に、他の有料設備のコード番号や売上金額、利用回数を読み取るＩＣカードリーダ／ライタ（図示せず）が装着されている。ＰＯＳレジ１５は、ＩＣカード２，３に記憶された有料設備のコード番号や売上金額、利用回数をＩＣカード２，３から消去することができる。ＰＯＳレジ１５は、売店において購入した商品の金額をＩＣカードリーダ／ライタを介してＩＣカード２，３から減算することができる。有料設備に装着されたＩＣカードリーダ／ライタは、それら有料設備の売上金額と利用回数とを日別または月別に区分してＩＣカード２，３に書き込むことができる。
【００２０】
有料設備での商品の購入とは、自動販売機６における清涼飲料水やたばこ、食品の購入、食券券売機８における食券の購入、電話やファクシミリ９，１２の使用、冷蔵庫１３や洗濯機１４の使用が含まれる。有料設備で受ける役務の提供とは、テレビ１０の放送、インターネット１１におけるホームページの閲覧やＷｅｂ検索が含まれる。テレビ１０は、その放送時間に応じて料金が設定されており、インターネット１１は、その利用時間に応じて料金が設定されている。電話やファクシミリ９，１２、冷蔵庫１３、洗濯機１４は、それらの使用時間に応じて料金が設定されている。
【００２１】
ＩＣカード２，３は、ＩＣチップ（図示せず）とＩＣカードリーダ／ライタにアクセスするための接触子（図示せず）とが組み込まれた接触型のものであり、その記憶容量が４ＫＢｙｔｅ〜１６ＫＢｙｔｅの範囲にある。ＩＣカード２，３には、あらかじめ所定の金額が記憶されている。
【００２２】
ＩＣカード２，３には、ＩＣカード入金機１８を介して所定の金額をチャージ可能である。チャージされた金額は、ＩＣカード２，３に記憶される。ＩＣカード２，３は、金額記憶機能の他に、有料設備毎のコード番号とそれらコード番号に対応する売上金額とを記憶する機能（売上金額記憶手段）を有するとともに、有料設備毎の利用回数を記憶する機能（利用回数記憶手段）を有する。
【００２３】
ＩＣチップは、ＣＰＵ（Ｃｅｎｔｒａｌ　Ｐｒｏｃｅｓｓｉｎｇ　Ｕｎｉｔ）と、データを記憶可能なメモリ部とから形成されている。ただし、ＣＰＵの代わりとして、暗証コードが合致したときにメモリ部を読み書きすることができるハードウェア（Ｐｉｎ）が組み込まれたものを使用することもできる。
【００２４】
メモリ部には、ＩＣカードリーダ／ライタから書き込まれるコード番号や売上金額、利用回数を記憶させるプログラムと、記憶したコード番号や売上金額、利用回数をＩＣカードリーダ／ライタへ出力させるプログラムとが格納されている。ＩＣカード２，３の使用時では、ＣＰＵがメモリ部に格納されているそれらプログラムを起動し、プログラムにしたがってコード番号や売上金額、利用回数を記憶するとともに、コード番号や売上金額、利用回数をＩＣカードリーダ／ライタへ出力する。
【００２５】
コード番号や売上金額、利用回数の書き込み時では、ＣＰＵがＩＣカードリーダ／ライタから入力されたそれらデータを、メモリ部が記憶可能な所定の言語に変換し、変換した言語にアドレスを付け、言語をメモリ部に割り振られた物理アドレス領域に格納する。
【００２６】
ＩＣカード２，３では、売上金額や利用回数のデータに日を区別するためのフラグを付けて記憶する。また、ＩＣカード２，３は、当月のデータをそのまま記憶することの他に、前月のデータに第１フラグを付けて記憶したり、前々月のデータに第２フラグを付けて記憶する。ＩＣカード２，３では、売上金額や利用回数のデータを日別または月別に区分して記憶することができる。
【００２７】
コード番号や売上金額、利用回数の読み込み時では、ＣＰＵがメモリ部の物理アドレス領域からそれに記憶された言語を取り出し、言語をＩＣカードリーダ／ライタが読み込み可能なデータに変換した後、コード番号や売上金額、利用回数のそれらデータをＩＣカードリーダ／ライタへ出力する。
【００２８】
なお、ＩＣカード２，３では、メモリ部の物理アドレス領域を多数に区分し、区分した物理アドレス領域毎に有料設備を割り当て、有料設備毎に割り当てられた物理アドレス領域に、有料設備における売上金額と利用回数とを書き込むこともできる。
【００２９】
ＩＣカード精算機１６は、ＩＣカードリーダ／ライタ機能を有し、ＩＣカード２，３に記憶されたそれら有料設備のコード番号と、有料設備毎の売上金額と、有料設備毎の利用回数とを読み取ることができるとともに、ＩＣカード２，３に記憶された有料設備のコード番号や売上金額、利用回数をＩＣカードから消去することができる。
【００３０】
ＰＯＳレジ１５とＩＣカード精算機１６とは、ＩＣカード２，３から読み取った商品および役務の売上金額と利用回数とを有料設備毎に区分して集計する機能（売上金額集計手段）を有するとともに、売上金額集計手段を介して集計された有料設備毎の売上金額に対する手数料を算出する機能（手数料計算手段）を有する。ＰＯＳレジ１５とＩＣカード精算機１６とは、売上金額集計手段を介して集計された有料設備毎の売上金額明細と手数料計算手段を介して算出された有料設備毎の売上金額に対する手数料明細と有料設備毎の利用回数明細とを出力する機能（明細出力手段）を有する。
【００３１】
有料設備毎の売上金額や利用回数の集計、手数料の算出は、所定の日数単位または月単位で行われる。所定の日数単位とは、たとえば１０日毎、２０日毎等であり、月単位とは、１ヶ月毎、２ヶ月毎等である。ＰＯＳレジ１５とＩＣカード精算機１６とは、ＩＣカード２，３から読み取った有料設備のコード番号に基づき、有料設備毎に区分して売上金額と利用回数とを集計する。ＰＯＳレジ１５とＩＣカード精算機１６とは、データに付けられたフラグによって売上金額や利用回数のデータを、当月のデータ、前月のデータ、前々月のデータ等に区分したり、日別のデータに区分することができる。
【００３２】
なお、ＩＣカード２，３のメモリ部の物理アドレス領域が有料設備毎に割り当てられ、物理アドレス領域毎にそれら有料設備の売上金額と利用回数とが書き込まれる場合は、物理アドレス領域毎に売上金額と利用回数を集計する。ＰＯＳレジ１５とＩＣカード精算機１６とは、ＩＣカード２，３のメモリ部の物理アドレス領域に基づいてそれら有料設備を特定する。
【００３３】
ＰＯＳレジ１５とＩＣカード精算機１６とは、有料設備毎に集計された売上金額に所定の割合を乗じて売上金額に対する手数料を算出する。所定の割合は、有料設備毎に設定されており、集計された売上金額の数％から数十％である。ＰＯＳレジ１５とＩＣカード精算機１６とは、集計した有料設備毎の売上金額や利用回数、算出した有料設備毎の手数料を記憶する機能（第１および第２記憶手段）を有する。
【００３４】
病院利用者は、図２に示すように、ＩＣカード販売機１７から利用者用ＩＣカード２を購入する。利用者が電話およびファクシミリ９，１２、テレビ１０、インターネット１１、冷蔵庫１３、洗濯機１４を使用する場合は、それらに接続されたＩＣカードリーダ／ライタ１９にＩＣカード２を挿入する。ＩＣカードリーダ／ライタ１９では、それにタイマが内蔵されており、有料設備の使用時間や利用時間に応じた金額をＩＣカード２から減算するとともに、電話およびファクシミリ９，１２、テレビ１０等のコード番号とそれらコード番号に対応する売上金額とをＩＣカード２に書き込む。
【００３５】
病院利用者が自動販売機６や食券券売機８を使用する場合は、それらに接続されたＩＣカードリーダ／ライタ２０にＩＣカード２を挿入する。ＩＣカードリーダ／ライタ２０では、利用者がＩＣカード２を使用して自動販売機６から清涼飲料水を購入したり、食券券売機８から食券を購入すると、それらの金額をＩＣカード２から減算するとともに、自動販売機６や食券券売機８のコード番号とそれらコード番号に対応する売上金額とをＩＣカード２に書き込む。
【００３６】
病院職員には、病院から職員用ＩＣカード３が交付されている。職員が自動販売機６や食券券売機８を使用する場合は、それらに接続されたＩＣカードリーダ／ライタ２０にＩＣカード３を挿入する。ＩＣカードリーダ／ライタ２０では、職員がＩＣカード３を使用して自動販売機６から清涼飲料水を購入したり、食券券売機８から食券を購入すると、それらの金額をＩＣカード３から減算するとともに、自動販売機６や食券券売機８のコード番号とそれらコード番号に対応する売上金額とをＩＣカード３に書き込む。
【００３７】
利用者や職員は、ＩＣカード２，３の残額をＰＯＳレジ１５やＩＣカード精算機１６，ＩＣカード入金機１８を介して確認することができるとともに、ＩＣカード入金機１８を介してＩＣカード２，３に所定の金額をチャージすることができる。
【００３８】
ＩＣカード２，３の精算は、ＰＯＳレジ１５やＩＣカード精算機１６を介して行われる。ＰＯＳレジ１５とＩＣカード精算機１６とは、ＩＣカード２，３を精算するときに、ＩＣカード２，３の残額を関係者に払い戻すとともに、ＩＣカード２，３を精算した後、ＩＣカード２，３に記憶された有料設備のコード番号と売上金額とを消去する。
【００３９】
ＰＯＳレジ１５とＩＣカード精算機１６には、図示はしていないが、ＩＣカードリーダ／ライタに接続された計算装置が内蔵されている。計算装置は、制御部および演算部を有するＣＰＵとプログラムやコード番号、売上金額、利用回数を記憶するメモリとから形成されている。計算装置には、図示はしていないが、キーボードやマウス等から形成された入力装置と、ディスプレイやプリンタ等から形成された出力装置とが入出力インターフェイスを介して接続されている。
【００４０】
計算装置のＣＰＵは、メモリに格納されているプログラムを起動し、プログラムにしたがってコード番号や売上金額、利用回数を読み取り、有料設備毎の売上金額や利用回数を集計するとともに、有料設備毎の手数料を算出する。ＣＰＵは、ＩＣカードリーダ／ライタから入力されたコード番号や売上金額、利用回数をメモリが記憶可能な所定の言語に変換し、変換した言語をメモリに割り振られた物理アドレス領域に格納する。
【００４１】
ＣＰＵの制御部は、実行されるプログラムのアドレスに基づいて、メモリからプログラムを取り込んで解読し、必要な指令をＩＣカードリーダ／ライタや入力装置、出力装置に出力する。メモリの物理アドレス領域には、有料設備毎のコード番号が記憶されている。
【００４２】
ＣＰＵは、コード番号や日別または月別に区分した売上金額、利用回数をメモリに格納するとともに、コード番号や売上金額、利用回数を制御部へ転送する。制御部では、転送されたそれらデータの照合や集計、算出を演算部に指示する。演算部では、制御部の指示にしたがって転送されたコード番号や売上金額、利用回数を照合し、有料設備毎の売上金額や利用回数を集計するとともに、有料設備毎の手数料を算出する。売上金額や利用回数の集計結果と手数料を算出結果とは、ＣＰＵを介してメモリが記憶可能な所定の言語に変換され、メモリの物理アドレス領域に格納される。ＣＰＵは、集計結果や算出結果を出力装置に転送し、それらをディスプレイに表示させるとともに、プリンタを介して印字させる。
【００４３】
図３，４は、ＰＯＳレジ１５やＩＣカード精算機１６における処理の一例を示すフローチャート図と、図３から続くフローチャート図とであり、図５は、図４から続くフローチャート図である。なお、それらフローチャート図では、売上金額や利用回数の集計、手数料の算出を月単位で行う場合を示し、決算日（たとえば、月の最終日）における処理を示す。
【００４４】
利用者または職員は、ＩＣカード２，３を精算する場合、ＰＯＳレジ１５またはＩＣカード精算機１６に装着されたＩＣカードリーダ／ライタにＩＣカード２，３を挿入する。ＰＯＳレジ１５において精算を選択するには、係員が精算を表示するバーコードをバーコードリーダで読み込む。ＩＣカード精算機１６において精算を選択するには、関係者がＩＣカード精算機１６の精算ボタンを押す。
【００４５】
係員や関係者が精算を選択すると、ＩＣカード２，３に書き込まれた有料設備のコード番号や売上金額、利用回数のデータがＩＣカードリーダ／ライタを介して読み込まれるとともに、ＩＣカードリーダ／ライタから計算装置に入力される（Ｓ−１）。計算装置では、入力された売上金額や利用回数が集計月内のデータであるか否かを判断する（Ｓ−２）。
【００４６】
売上金額や利用回数が集計月内のデータでない場合は、売上金額や利用回数の集計、手数料の算出を行うことなく、処理を終了する。ただし、計算装置は、ＩＣカード２，３の残額を関係者に払い戻すとともに、ＩＣカード２，３に記憶された有料設備のコード番号と売上金額とを消去する。なお、集計月内のデータではない売上金額や利用回数は、計算装置に記憶されることはない。
【００４７】
計算装置は、売上金額や利用回数が集計月内のデータである場合、それらデータが自動販売機６のデータであるか否かを判断する（Ｓ−３）。それらデータが自動販売機６のデータである場合は、自動販売機６の売上金額、利用回数を日別または月別に区分してメモリに格納する。ＩＣカード２，３が月の決算日以外の日に精算される場合は、自動販売機６の売上金額、利用回数が計算装置のメモリに蓄積される。
【００４８】
計算装置は、メモリに格納した自動販売機の売上金額や利用回数を月の決算日にメモリから取り出し、その月における自動販売機６の売上金額を集計し（Ｓ−４）、その月における自動販売機６の利用回数を集計する（Ｓ−５）。次に、計算装置は、集計した自動販売機６の売上金額に所定の割合を乗じて自動販売機６の売上金額に対する手数料を算出する（Ｓ−６）。計算装置は、集計した自動販売機の売上金額や利用回数、算出した自動販売機の手数料をメモリに格納する（Ｓ−７）。
【００４９】
計算装置は、売上金額や利用回数が自動販売機６のデータではない場合、売上金額や利用回数が売店７のデータであるか否かを判断する（Ｓ−８）。計算装置は、それらデータが売店７のデータである場合、売店７の売上金額、利用回数を日別または月別に区分してメモリに格納する。ＩＣカード２，３が月の決算日以外の日に精算される場合は、売店７の売上金額、利用回数が計算装置のメモリに蓄積される。
【００５０】
計算装置は、メモリに格納した売店７の売上金額や利用回数を月の決算日にメモリから取り出し、その月における売店７の売上金額を集計し（Ｓ−９）、その月における売店７の利用回数を集計する（Ｓ−１０）。次に、計算装置は、集計した売店７の売上金額に所定の割合を乗じて売店７の売上金額に対する手数料を算出する（Ｓ−１１）。計算装置は、集計した売店７の売上金額や利用回数、算出した売店７の手数料をメモリに格納する（Ｓ−７）。
【００５１】
計算装置は、売上金額や利用回数が売店７のデータではない場合、売上金額や利用回数が食券券売機８のデータであるか否かを判断する（Ｓ−１２）。計算装置は、それらデータが食券券売機８のデータである場合、食券券売機８の売上金額、利用回数を日別または月別に区分してメモリに格納する。ＩＣカード２，３が月の決算日以外の日に精算される場合は、食券券売機８の売上金額、利用回数が計算装置のメモリに蓄積される。
【００５２】
計算装置は、メモリに格納した食券券売機８の売上金額や利用回数を月の決算日にメモリから取り出し、その月における食券券売機８の売上金額を集計し（Ｓ−１３）、その月における食券券売機８の利用回数を集計する（Ｓ−１４）。次に、計算装置は、集計した食券券売機８の売上金額に所定の割合を乗じて食券券売機８の売上金額に対する手数料を算出する（Ｓ−１５）。計算装置は、集計した食券券売機８の売上金額や利用回数、算出した食券券売機８の手数料をメモリに格納する（Ｓ−７）。
【００５３】
計算装置は、ＩＣカード２，３に記憶された自動販売機６のコード番号や売上金額、利用回数をＩＣカード２，３から消去する指令をＩＣカードリーダ／ライタに出力するとともに、ＩＣカード２，３に記憶された売店７のコード番号や売上金額、利用回数をＩＣカード２，３から消去する指令をＩＣカードリーダ／ライタに出力する（Ｓ−１６）。計算装置は、ＩＣカード２，３に記憶された食券券売機８のコード番号や売上金額、利用回数をＩＣカード２，３から消去する指令をＩＣカードリーダ／ライタに出力する（Ｓ−１６）。
【００５４】
計算装置では、上述した処理を繰り返し、電話およびファクシミリ９，１２やテレビ１０、インターネット１１、冷蔵庫１３、洗濯機１４の有料設備の全てにおいて、売上金額や利用回数の集計、手数料の算出を行う。有料設備の全ての集計と算出とが終わると、計算装置による処理が終了し、ＩＣカード２，３がＩＣカードリーダ／ライタから排出される。
【００５５】
計算装置では、集計した有料設備の売上金額や利用回数、算出した有料設備の手数料の明細の表示指令をディスプレイに出力するとともに、明細の印字指令をプリンタに出力する（Ｓ−１７）。ディスプレイは、計算装置で集計された有料設備の売上金額や利用回数、算出された有料設備の手数料の明細を表示する（Ｓ−１８）。プリンタは、ディスプレイに表示された有料設備の売上金額や利用回数、手数料の明細を印字する（Ｓ−１９）。
【００５６】
なお、計算装置では、売上金額や利用回数の集計、手数料の算出を所定の日数単位で行うことができる。たとえば、計算装置に１日〜２０日を入力すると、１日〜２０日の間における売上金額や利用回数の集計、手数料の算出が行われる。また、計算装置では、メモリに格納した売上金額や利用回数のデータを消去する指令が入力されない限り、それらデータがメモリに保持されるので、前月や前々月等のデータをメモリから取り出して売上金額や利用回数の集計、手数料の算出を行うことができる。ＰＯＳレジ１５とＩＣカード精算機１６では、入力装置を利用してディスプレイに表示された明細のレイアウトを変更したり、売上金額に乗じる割合を変更することができる。
【００５７】
図６は、プリンタで印字された売上金額や利用回数、手数料の明細の一例を示す図である。図の明細は、ある月における各有料設備の売上金額や利用回数を集計、または、手数料を算出したものである。明細の上欄における横軸には、左から売上金額、利用回数、手数料、割合が表示され、明細の左欄における縦軸には、上から自動販売機、売店、食堂、テレビ、インターネット、電話、ファクシミリ、冷蔵庫、洗濯機の有料設備が表示されている。
【００５８】
明細では、集計月内における自動販売機の売上金額が６０，０００円、利用回数が５００回、手数料が１，８００円、売上金額に対する手数料の割合が３％であることが分かる。また、集計月内における売店の売上金額が５５０，０００円、利用回数が１，８００回、手数料が２２，０００円、売上金額に対する手数料の割合が４％であることが分かる。さらに、集計月内における食堂の売上金額が７８０，０００円、利用回数が１，０００回、手数料が５４，６００円、売上金額に対する手数料の割合が７％であることが分かる。
【００５９】
このシステムでは、明細を利用して有料設備を設置した業者に手数料を請求する請求書を作成することができる。また、このシステムでは、明細を利用して病院が有料設備を設置した業者に支払う手数料を知ることができる。ゆえに、それら有料設備の手数料を人員を介することなく算出することができ、手数料の算出の手間と時間とを省くことができる。このシステムでは、有料設備の売上金額や利用回数を知ることができるので、有料設備の効率を確認することができ、有料設備の売上を予測することができる。
【００６０】
このシステムは、病院のみならず、旅館において利用することもできる。旅館における関係者とは、旅館の経営者や従業員、宿泊客をいう。旅館に設置される有料設備としては、自動販売機、売店、電話およびファクシミリ、民放地上波放送およびＣＳやＢＳ等の自主放送テレビ、インターネット、冷蔵庫、洗濯機がある。なお、有料設備には、実施の形態において例示したものに限定するものではなく、特定の設備に設置可能であるとともに、ＩＣカードを使用して所定の金額を減算可能であれば、実施の形態において例示したそれら有料設備に限定するものではない。
【００６１】
【発明の効果】
本発明にかかるカード決済システムによれば、人員を介することなく、特定の施設に設置された多数の有料設備における売上金額の集計や手数料の算出を迅速に行うことができ、売上金額の集計や手数料の算出の手間と時間とを省くことができる。また、売上金額の集計や手数料の算出を人員が行う場合、計算ミスが生じ易いが、このシステムでは、売上金額の集計や手数料の算出におけるミスを防ぐことができ、正確な売上金額と手数料とを得ることができる。このシステムでは、有料設備毎の商品または役務の売上金額を確認することができ、有料設備で販売する商品や提供する役務の種類の選別の指針とすることができる。
【００６２】
有料設備毎の利用回数を集計することができるカード決済システムでは、有料設備の効率を確認することができ、有料設備の設置場所の選定の指針とすることができる。
【図面の簡単な説明】
【図１】一例として示すカード決済システムの構成図。
【図２】このシステムにおけるＩＣカードの利用および決済の手順を示す図。
【図３】ＰＯＳレジやＩＣカード精算機における処理の一例を示すフローチャート図。
【図４】図３から続くフローチャート図。
【図５】図４から続くフローチャート図。
【図６】プリンタで印字された売上金額や利用回数、手数料の明細の一例を示す図。
【符号の説明】
１　　　　　　　病院
２　　　　　　　利用者用ＩＣカード（ＩＣカード）
３　　　　　　　職員用ＩＣカード（ＩＣカード）
６　　　　　　　自動販売機（有料設備）
７　　　　　　　売店（有料設備）
８　　　　　　　食券券売機（有料設備）
９　　　　　　　公衆電話、ファクシミリ（有料設備）
１０　　　　　　　テレビ（有料設備）
１１　　　　　　　インターネット（有料設備）
１２　　　　　　　電話（有料設備）
１３　　　　　　　冷蔵庫（有料設備）
１４　　　　　　　洗濯機（有料設備）
１５　　　　　　　ＰＯＳレジ（精算設備）
１６　　　　　　　ＩＣカード精算機（精算設備）
１９　　　　　　　ＩＣカードカードリーダ／ライタ
２０　　　　　　　ＩＣカードカードリーダ／ライタ
【図１】
2004086253.tif 000003
【図２】
2004086253.tif 000004
【図３】
2004086253.tif 000005
【図４】
2004086253.tif 000006
【図５】
2004086253.tif 000007
【図６】
2004086253.tif 000008